(57)【要約】      （修正有）【課題】ガイドリングが竿体に対して傾斜して設けられた場合であっても、当該ガイドリングの内周面から釣糸に当該内周面の垂直方向に加えられる圧力を抑制できるガイドリングの提供。【解決手段】ガイドリング１２は、ガイド本体と接する外周面１２ａと、前記外周面１２ａよりも径方向内側にある内周面１２ｂと、を有する。当該内周面１２ｂは、前記ガイドリング１２の軸線を含む切断面の断面視において、第１の曲率半径Ｒ１を有する第１の曲面１２ｂ１と、前記第１の曲面に前記軸線の方向の外側において隣接しており第２の曲率半径Ｒ２を有する第２の曲面１２ｂ２と、前記第２の曲面の一方の端部から前記外周面まで延びており第３の曲率半径Ｒ３を有する第３の曲面１２ｂ３とを有し、前記第１の曲率半径Ｒ１が前記第２の曲率半径Ｒ２よりも大きく、前記第２の曲率半径Ｒ２が前記第３の曲率半径Ｒ３よりも大きくなるように構成される。【選択図】図５
2018050501.tif 000002
【特許請求の範囲】
【請求項１】
貫通孔が形成されたガイド本体と、前記ガイド本体の前記貫通孔に取り付けられたガイドリングと、を備えた釣糸ガイドであって、
前記ガイドリングは、前記ガイド本体と接する外周面と、前記外周面よりも径方向内側にある内周面と、を有し、
前記内周面は、前記ガイドリングの軸線を含む切断面の断面視において、第１の曲率半径Ｒ１を有する第１の曲面と、前記第１の曲面に前記軸線の方向の外側において隣接しており第２の曲率半径Ｒ２を有する第２の曲面と、前記第２の曲面の一方の端部から前記外周面まで延びており第３の曲率半径Ｒ３を有する第３の曲面とを有し、前記第１の曲率半径Ｒ１が前記第２の曲率半径Ｒ２よりも大きく、前記第２の曲率半径Ｒ２が前記第３の曲率半径Ｒ３よりも大きくなるように構成される、釣糸ガイド。
【請求項２】
前記釣糸ガイドが釣り竿の竿体の表面に取り付けられたときに、前記ガイドリングの正面視において前記ガイドリングの前記内周面のうち前記竿体の前記表面からの距離が最も遠い遠位部が前記第２の曲面上にあるように構成される、請求項１に記載の釣糸ガイド。
【請求項３】
前記釣糸ガイドが釣り竿の竿体の表面に取り付けられたときに、前記ガイドリングの正面視において前記ガイドリングの前記内周面のうち前記竿体の前記表面からの距離が最も近い近位部が前記第２の曲面上にあるように構成される、請求項１に記載の釣糸ガイド。
【請求項４】
請求項１ないし請求項３のいずれか１項に記載の釣糸ガイドを少なくとも１つ備える釣竿。
【発明の詳細な説明】
【技術分野】
【０００１】
本発明は、釣糸ガイド及び当該釣糸ガイドを備える釣竿に関する。
【背景技術】
【０００２】
釣竿は、一般に、リールから繰り出され又はリールに巻き取られる釣糸を竿体に沿って案内するために、竿体の外周面に取り付けられた複数の釣糸ガイドを有する。従来の釣糸ガイドは、一般に、貫通孔が形成された平板状のフレームと、当該貫通孔に取り付けられた環状のガイドリングと、を備えている。
【０００３】
釣糸は、ガイドリングのガイド孔に挿通されるので、キャスティング時や巻き取り時に、ガイドリングの内周面が釣糸と接触する。このとき、ガイドリングから釣糸に対して作用する当該ガイドリングに垂直な方向の圧力によりラインブレイクが発生する（釣糸が切れる）ことがある。
【０００４】
釣糸に対して垂直方向に加えられる圧力を小さくすることによりラインブレイクを抑制することを狙ったガイドリングが国際公開第２０１４／１１９５２２号（以下「‘５２２公報」という。）に開示されている。この５２２公報に開示されているガイドリングは、その軸線を含む切断面の断面視において最大幅Ｗとなる位置よりも内周側にある第１の曲面２と、当該第１の曲面２の一方の端部Ｃ’から外周４側に延びる第２の曲面２’を有するように構成されている。当該第１の曲面２は、当該ガイドリングの軸線方向の中央部側（内側）の曲面（曲率半径はＲ１）と当該軸線方向の端部側（外側）の曲面（曲率半径はＲ２）とを有しており、この曲率半径Ｒ１が曲率半径Ｒ２よりも大きくなるように構成されている。この‘５２２公報のガイドリングにおいては、Ｒ１をＲ２よりも大きくすることにより、釣糸が摺動可能な領域を大きくでき、これによって、釣糸がガイドリングの内周面を摺動するときに釣糸に加わるガイドリングの内周面に垂直な方向の圧力が大きくなるのを抑制できるため、釣糸の摩耗を抑制でき、釣糸が切断されにくくなるとされている（‘５２２公報の段落［００２１］）。
【先行技術文献】
【特許文献】
【０００５】
【特許文献１】国際公開第２０１４／１１９５２２号
【発明の概要】
【発明が解決しようとする課題】
【０００６】
‘５２２公報のガイドリングは、第１の曲面２のうち軸線方向外側の曲面の曲率半径Ｒ２が、隣接して設けられる第１の曲面２の軸線方向内側の曲面の曲率半径Ｒ１及び第２の曲面２’の曲率半径Ｒ３のいずれよりも小さくなるように形成されているので、当該ガイドリングの内周面において、第１の曲面２のうち軸線方向外側の曲面が、他の曲面よりも尖ったピーク曲面となる。釣糸がガイドリング内周面のうちピーク曲面（‘５２２公報のガイドリングにおいては第１の曲面２のうち軸線方向外側の曲面）に当接すると、釣糸に対してガイドリング内周面に垂直な方向の大きな圧力が作用してしまう。‘５２２公報のガイドリングにおいては、竿体に対して傾斜して設けられると、このピーク曲面（第１の曲面２のうち軸線方向外側の曲面）が釣糸と接触しやすくなる。
【０００７】
本発明の目的の一つは、ガイドリングが竿体に対して傾斜して設けられた場合であっても、当該ガイドリングの内周面から釣糸に当該内周面の垂直方向に加えられる圧力を抑制できるようにすることである。本発明のこれ以外の目的は、本明細書全体を参照することにより明らかとなる。
【課題を解決するための手段】
【０００８】
本発明の一実施形態に係る釣糸ガイドは、貫通孔が形成されたガイド本体と、前記ガイド本体の前記貫通孔に取り付けられたガイドリングと、を備える。当該ガイドリングは、前記ガイド本体と接する外周面と、前記外周面よりも径方向内側にある内周面と、を有する。よって、本発明の一実施形態におけるガイドリングは、外周面を介してガイド本体に取り付けられ、その内周面により画定されるガイド孔に釣糸を案内できるように構成される。当該内周面は、前記ガイドリングの軸線を含む切断面の断面視において、第１の曲率半径Ｒ１を有する第１の曲面と、前記第１の曲面に前記軸線の方向の外側において隣接しており第２の曲率半径Ｒ２を有する第２の曲面と、前記第２の曲面の一方の端部から前記外周面まで延びており第３の曲率半径Ｒ３を有する第３の曲面とを有し、前記第１の曲率半径Ｒ１が前記第２の曲率半径Ｒ２よりも大きく、前記第２の曲率半径Ｒ２が前記第３の曲率半径Ｒ３よりも大きくなるように構成される。
【０００９】
当該実施形態によれば、ガイドリングの内周面にピーク曲面が存在しないので、ピーク曲面から釣糸に対して内周面に垂直な方向の大きな圧力が加えられることを防止できる。本明細書において、ピーク曲面とは、ガイドリングの内周面の一部をなす曲面であって、その両隣りに隣接する曲面のいずれの曲率半径よりも小さい曲率半径を有する曲面を意味する。
【００１０】
本発明の一実施形態に係る釣糸ガイドは、釣り竿の竿体の表面に取り付けられたときに、前記ガイドリングの正面視において前記ガイドリングの前記内周面のうち前記竿体の前記表面からの距離が最も遠い遠位部が前記第２の曲面上にあるように構成される。この釣糸ガイドを竿体の表面（取付面）の下面側に取り付けると、巻き取り時にテンションがかかっている釣糸は、当該釣糸ガイドのガイドリングの内周面のうち、当該取り付け面からの距離が最も遠い遠位部に接触する。本発明の他の実施形態に係る釣糸ガイドは、釣り竿の竿体の表面に取り付けられたときに、前記ガイドリングの正面視において前記ガイドリングの前記内周面のうち前記竿体の前記表面からの距離が最も近い近位部が前記第２の曲面上にあるように構成される。この釣糸ガイドを竿体の表面（取付面）の上面側に取り付けると、巻き取り時に強いテンションがかかっている釣糸は、当該釣糸ガイドのガイドリングの内周面のうち、当該取り付け面からの距離が最も近い近位部に接触する。
【００１１】
これらの実施形態によれば、巻き取り時に強いテンションがかかっている釣糸を曲率半径が最も小さい第３の曲面に当接させないようにできる。これにより、ガイドリングの内周面から釣糸に対して当該内周面に垂直な方向の大きな圧力が加えられることを防止できる。
【００１２】
本発明の一態様に係る釣竿は、上述した態様の釣糸ガイドを少なくとも１つ備える。
【発明の効果】
【００１３】
本発明の実施形態によって、ガイドリングの内周面から釣糸に加えられる圧力を抑制することができる。よって、ガイドリングの内周面から釣糸に加えられる圧力を抑制することができる釣糸ガイド及び当該釣糸ガイドを備えた釣り竿が提供される。
【図面の簡単な説明】
【００１４】
【図１】本発明の一実施形態に係る釣竿の構成を模式的に示す側面図である。
【図２】本発明の一実施形態に係る釣竿ガイドの斜視図である。
【図３】本発明の一実施形態に係る釣竿ガイドの縦断面図である。この釣糸ガイドは、竿体の下面に取り付けられている。
【図４】図３の右側（釣竿１の穂先側）から見た本発明の一実施形態に係る釣竿ガイドの正面図である。
【図５】本発明の一実施形態に係る釣糸ガイドに備えられるガイドリングの断面を拡大して示す拡大断面図である。
【図６】本発明の一実施形態に係る釣竿ガイドの縦断面図である。この釣糸ガイドは、竿体の上面に取り付けられている。
【図７】図６の右側（釣竿１の穂先側）から見た本発明の一実施形態に係る釣竿ガイドの正面図である。
【図８】本発明の一実施形態に係る釣糸ガイドに備えられるガイドリングの製造工程を説明する図である。
【発明を実施するための形態】
【００１５】
以下、適宜図面を参照し、本発明の様々な実施形態を説明する。なお、各図面において共通する構成要素に対しては同一の参照符号が付されている。各図面は、説明の便宜上、必ずしも正確な縮尺で記載されているとは限らない点に留意されたい。
【００１６】
図１は、本発明の一実施形態に係る釣糸ガイド１０を備える本発明の一実施形態に係る釣竿１の外観図である。図示の実施形態において、釣竿１は、手元竿３と、複数（図１の例では３本）の中竿５と、穂先竿７と、を有する振り出し式の釣竿である。釣竿１の不使用時においては、中竿５及び穂先竿７が中空の手元竿３に収納される。
【００１７】
手元竿３、中竿５、及び穂先竿７は、例えば、炭素繊維に合成樹脂を含浸したプリプレグシートを用いて形成され得る。また、手元竿３、中竿５、及び穂先竿７は、それぞれ穂先方向に先細りとなるテーパー形状を有する。中竿５及び穂先竿７の外周面には、リールＲから繰り出される釣糸を釣竿１の穂先まで案内する複数の釣糸ガイド１０が設けられている。図１には、リールＲとしてスピニングリールが示されている。スピニングリールが使用される場合には、図示のように、釣糸ガイド１０は通常各竿体の外周面のうち下側（下面）に設けられる。リールＲとしては両軸受型リールを用いることもできる。この場合、釣糸ガイド１０は通常各竿体の外周面のうち上側（上面）に設けられる。
【００１８】
本発明の一実施形態に係る釣糸ガイドを図２ないし図５を参照して説明する。図２は、本発明の一実施形態における釣糸ガイド１０の正面図であり、図３は、釣糸ガイド１０をそのガイドリングの軸線及び竿体５の長軸を通る平面で切断した断面図であり、図４は、図３の右側（釣竿１の穂先側）から見た本発明の一実施形態に係る釣竿ガイドの正面図であり、図５は、当該釣糸ガイド１０に備えられているガイドリング１２の断面を拡大して示す拡大断面図である。図４においては、竿体５の断面が切断された状態で示されているので、図４は、竿体５に着目すればＸ−Ｘ線を通る切断面で切断した断面図である。
【００１９】
図示のように、釣糸ガイド１０は、ガイド本体１１と、このガイド本体１１に取り付けられる環状のガイドリング１２と、を備える。このガイド本体１１は、竿体３、竿体５、または竿体７のいずれかに取り付けられる足部１３と、足部１３に接続された板状のリング保持部１４と、を備える。説明の便宜のために、以下の説明では、釣糸ガイド１０が竿体５に取り付けられる場合を例に説明する。
【００２０】
本発明の一実施形態において、足部１３は、竿体５の外周面に沿って伸びる細長い平板状の部材である。足部１３は、例えばナイロン繊維から形成された巻糸（不図示）によって竿体５に巻き付けられる。図２には、１つの足部によって竿体に取り付けられるシングルフットタイプの釣糸ガイドが例示されているが、本発明を適用可能なガイドリングはこのシングルフットタイプのものには限られない。例えば、本発明は、ダブルフットタイプのガイドリングにも適用可能である。ダブルフットタイプの釣糸ガイドは、リング保持部から前側及び後側にそれぞれ延びる一組の足部を有し、この一組の足部によって竿体に固定される。また、本発明は、固定式の釣糸ガイド及び可動式の釣糸ガイド（遊動ガイドと呼ばれることもある。）のいずれにも適用することができる。
【００２１】
本発明の一実施形態において、リング保持部１４は、足部１３の上端から延伸している。このリング保持部１４は、竿体５へ取り付けられたときに当該竿体５の後方（根元側）から前方（穂先側）に向かって傾斜するように構成されている。つまり、リング保持部１４は、ガイドリング１２が竿体５に取り付けられたときに、竿体５の前方に倒れた姿勢を取る。図示のように、リング保持部１４には、リング保持部１４を概ね竿体５の前後方向に貫く貫通孔が形成されている。この貫通孔は、リング保持部１４の内周面１４ａによって画定される。ガイドリング１２は、この貫通孔に嵌め込まれる。リング保持部１４は、概ね平坦な板状の部材であるが、足部１３との接続部分は、図３に示すように緩やかに湾曲している。つまり、リング保持部１４は、ガイドリング１２が嵌め込まれる貫通孔が形成された概ね平坦な平坦部と、足部１３に接続される緩やかに湾曲した湾曲部と、を含む。
【００２２】
足部１３及びリング保持部１４は、プリプレグシートから一体に作製することができる。足部１３及びリング保持部１４を作製する際には、まず複数のプリプレグシートをプレス加工により貼り合わせて焼成及び硬化し、プリプレグ成形品が作製される。次にこのプリプレグ成形品から、足部１３及びリング保持部１４に相当する形状のフレームが切り出される。このようにして、足部１３及びリング保持部１４が一体となったフレームが得られる。プリプレグシートから釣糸ガイドを作製する工程の詳細については、例えば国際公開第２０１３／０７３５９７号に記載されている。ガイド本体１１は、上記以外の任意の公知の手法を用いて作製できる。例えば、ガイド本体１１は、金属や合成樹脂を用いた射出成形により形成され得る。
【００２３】
リング保持部１４の貫通孔には、環状のガイドリング１２が嵌め込まれる。ガイドリング１２は、炭化珪素質焼結体、ジルコニア質焼結体、炭化ホウ素質焼結体、又はアルミナ（アルミニウムオキサイド）等の酸化物系セラミックスから形成される。本明細書で明示するガイドリング１２の材質はあくまで例示であり、ガイドリング１２は任意の種類のセラミックスから形成することができる。
【００２４】
ガイドリング１２は、その周方向に環状に伸びるリング外周面１２ａと、このリング外周面１２ａと平行に伸びるリング内周面１２ｂと、を有する。リング内周面１２ｂは、リング外周面１２ａよりもガイドリング１２の径方向の内側にある。釣糸Ｌは、この内周面１２ｂによって画定されるガイド孔１５を通過してリールＲから釣竿１の穂先まで案内される。
【００２５】
本発明の一実施形態において、ガイドリング１２は、その外周面１２ａがガイド本体１４の内周面１４ａと当接するように、ガイド本体１４に嵌め込まれる。ガイドリング１２は、接着剤によりガイド本体１４に接着されてもよい。
【００２６】
ガイドリング１２は、図５に最も明確に表されているように、その軸線Ａを含む切断面で切断したときの断面視において、その内周面１２ｂがガイド孔１５の中心に向かって凸に湾曲するように形成されている。この内周面１２ｂは、図５に示すように、第１の曲率半径Ｒ１を有する第１の曲面１２ｂ１と、第１の曲面１２ｂ１の一方の端部（軸線Ａの外側の端部）に接続されており第２の曲率半径Ｒ２を有する第２の曲面１２ｂ２と、第２の曲面１２ｂ２の一方の端部（軸線Ａの外側の端部）から外周面１２ａの端部まで延びており第３の曲率半径Ｒ３を有する第３の曲面１２ｂ３と、を有する。本発明の一実施形態においては、ガイド孔１５の中心を通り、リング保持部１４と垂直な方向に延びる仮想線をガイドリング１２の軸線Ａとすることができる。
【００２７】
本発明の一実施形態において、第１の曲面１２ｂ１は、内周面１２ｂの軸線Ａ方向の中央にある点Ｂ’から、この点Ｂ’よりも軸線Ａの外側にある点Ｄまで延びている。第２の曲面１２ｂ２は、点Ｄから、この点Ｄよりも軸線Ａの外側にある点Ｃまで延びている。第３の曲面１２ｂ３は、点Ｃから外周面１２ａの一方の端部まで延びている。このように、点Ｄが第１の曲面１２ｂ１と第２の曲面１２ｂ２との境界であり、点Ｃが第２の曲面１２ｂ２と第３の曲面１２ｂ３との境界である。本発明の一実施形態において、点Ｃと点Ｃ’とを結ぶ仮想線は、ガイドリング１２の幅が最も広くなる位置を表している。よって、点Ｄは、内周面１２ｂの軸線Ａ方向の中央にある点Ｂ’とガイドリング１２の幅が最も広くなる位置にある点Ｃとの間にある。
【００２８】
図５には、外周面１２ａの軸線Ａ方向の中央にある点Ｂと内周面１２ｂの軸線Ａ方向の中央にある点Ｂ’を結ぶ仮想線（「Ｂ−Ｂ’線」という。）が示されている。Ｂ−Ｂ’線は、ガイドリング１２の径方向の厚みが最も厚い位置を表している。図５に示されているように、ガイドリング１２は、Ｂ−Ｂ’線に対して対称となるように構成されてもよい。この場合、ガイドリング１２の内周面１２ｂは、Ｂ−Ｂ’仮想線に対して１の曲面１２ｂ１、第２の曲面１２ｂ２、及び第３の曲面１２ｂ３とそれぞれ対称な曲面１２ｂ１’、曲面１２ｂ２’、及び曲面１２ｂ３’を有する。本発明の一実施形態において、曲面１２ｂ１’は、第１の曲面１２ｂ１と同じ第１の曲率Ｒ１を有し、曲面１２ｂ２’は、第２の曲面１２ｂ２と同じ第２の曲率Ｒ２を有し、曲面１２ｂ３’は、第３の曲面１２ｂ３と同じ第３の曲率Ｒ３を有する。このように、曲面１２ｂ１’、曲面１２ｂ２’、及び曲面１２ｂ３’の曲率半径は、第１の曲面１２ｂ１、第２の曲面１２ｂ２、及び第３の曲面１２ｂ３とそれぞれ等しいので、本明細書において第１の曲面１２ｂ１、第２の曲面１２ｂ２、及び第３の曲面１２ｂ３に関して述べることは曲面１２ｂ１’、曲面１２ｂ２’、及び曲面１２ｂ３’にも当てはまる。
【００２９】
本発明の一実施形態におけるガイドリング１２は、第１の曲面１２ｂ１の第１の曲率半径Ｒ１が第２の曲面１２ｂ２の第２の曲率半径Ｒ２よりも大きく、第２の曲面１２ｂ２の第２の曲率半径Ｒ２が第３の曲面１２ｂ３の第３の曲率半径Ｒ３よりも大きくなるように構成される。当該実施形態によれば、ガイドリング１２の内周面１２ｂにピーク曲面が存在しないので、ピーク曲面から釣糸Ｌに対して内周面に垂直な方向の大きな圧力が加えられることを防止できる。
【００３０】
曲率半径Ｒ１、Ｒ２、及びＲ３の具体的な数値は、ガイドリング１２の寸法に応じて適宜変更される。ガイドリング１２の厚み（Ｂ−Ｂ’線に沿った厚み）が１．０ｍｍ〜３．０ｍｍの場合には、曲率半径Ｒ１は１．０〜５．０ｍｍ、曲率半径Ｒ２は０．２ｍｍ〜０．８ｍｍ、曲率半径Ｒ３は０．０２〜０．１５ｍｍとすることができる。
【００３１】
釣糸ガイド１０が竿体５の下面に設けられる場合（図１参照）には、釣糸Ｌは、図３及び図４に示すように、ガイドリング１２のガイド孔１５を通過するように配置される。巻き取り時には、釣糸Ｌにテンションがかかるので、図３に示すように釣糸Ｌが竿体５の軸方向と平行な方向に延びる。このとき、釣糸Ｌはガイドリング１２の内周面１２ｂとその上端付近で接する。より具体的には、釣糸Ｌは、当該ガイドリング１２の正面視（図４）において、ガイドリング１２の内周面１２のうち竿体５の表面からの距離が最も遠い遠位部１２ｐ１を含む曲面で内周面１２ｂと接する。
【００３２】
本発明の一実施形態においては、この遠位部１２ｐ１が第２の曲面１２ｂ２上にあるようにガイドリング１０が構成される。この場合、釣糸Ｌは、巻き取り時にガイドリング１２の内周面１２ｂのうち第２の曲面１２ｂ２と接触する。この第２の曲面１２ｂ２の曲率半径Ｒ２は、当該第２の曲面１２ｂ２に隣接して設けられている第３の曲面１２ｂ３の曲率半径Ｒ３よりも大きい。よって、当該実施形態によれば、巻き取り時に強いテンションがかかっている釣糸Ｌを曲率半径が最も小さい第３の曲面１２ｂ３に当接させないようにできる。これにより、ガイドリング１２の内周面１２ｂから釣糸Ｌに対して当該内周面１２ｂに垂直な方向の大きな圧力が加えられることを防止できる。
【００３３】
一方、釣糸ガイド１０が竿体５の上面に設けられる場合には、釣糸Ｌは、図６及び図７に示すように、釣糸Ｌはガイドリング１２の内周面１２ｂとその下端付近で接する。より具体的には、釣糸Ｌは、当該ガイドリング１２の正面視（図７）において、ガイドリング１２の内周面１２のうち竿体５の表面からの距離が最も近い近位部１２ｐ２を含む曲面で内周面１２ｂと接する。
【００３４】
本発明の一実施形態においては、この近位部１２ｐ２が第２の曲面１２ｂ２上にあるようにガイドリング１０が構成される。この場合、釣糸Ｌは、巻き取り時にガイドリング１２の内周面１２ｂのうち第２の曲面１２ｂ２と接触する。よって、当該実施形態においても、巻き取り時に強いテンションがかかっている釣糸Ｌを曲率半径が最も小さい第３の曲面１２ｂ３に当接させないようにできる。これにより、ガイドリング１２の内周面１２ｂから釣糸Ｌに対して当該内周面１２ｂに垂直な方向の大きな圧力が加えられることを防止できる。
【００３５】
次に、図８を参照して釣糸ガイド１０のガイドリング１２の製造方法を説明する。まず、図８（ａ）に示すように、所定量秤量したセラミックスの原料粉末を環状に成形し、この成形品を焼成することにより焼結体２０を制作する。この環状の焼結体２０は、その内周面が当該環状の焼結体２０の中心に向かって凸に湾曲するように成形されている。
【００３６】
続いて、この焼結体２０の軸線方向の端面にバレル加工を施し、図８（ａ）に点線Ｄで示す位置まで焼結体２０の軸線方向の端面を削る。このバレル加工により、図８（ｂ）に示すように、焼結体２０よりも軸線方向の寸法が若干小さくなった焼結体２１が得られる。
【００３７】
続いて、この焼結体２１の径方向の端面にセンターレス加工を施し、図８（ｂ）に点線Ｅで示す位置まで当該焼結体の径方向の端面を削ることにより、焼結体２１よりも径方向の寸法が若干小さくなった焼結体２２が得られる。このセンターレス加工により、図８（ｃ）に示すように、ガイドリング１２の外表面１２ａに相当する外表面２２ａが露出する。
【００３８】
続いて、この焼結体２２にショットブラスト加工を施し、外表面２２ａの軸線方向の両端にあるエッジを除去する。このショットブラスト加工により、図８（ｄ）に示すように、第２の曲面１２ｂ２及び第３の曲面１２ｂ３が形成される。最後に必要に応じて、バリ取りや寸法を微調整するための研磨加工を行い、ガイドリング１２が得られる。
【００３９】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。
【符号の説明】
【００４０】
１  釣竿
３、５、７  竿体
１０  釣糸ガイド
１１  ガイド本体
１２  ガイドリング
１２ａ  外周面
１２ｂ  内周面
１２ｂ１  第１の曲面
１２ｂ２  第２の曲面
１２ｂ３  第３の曲面
１３  足部
１４  リング保持部
Ｌ  釣糸
【図１】
2018050501.tif 000003
【図２】
2018050501.tif 000004
【図３】
2018050501.tif 000005
【図４】
2018050501.tif 000006
【図５】
2018050501.tif 000007
【図６】
2018050501.tif 000008
【図７】
2018050501.tif 000009
【図８】
2018050501.tif 000010